(57)【要約】【課題】ＴＳの伝送路でデータに誤りが発生しても補助データを使って誤った設定変更をしないように保護する機能を有しながら、ＴＳの内容が変更された場合には受信側の設定変更が早く行われるようにする。【解決手段】送信側装置は、ＰＡＴ、ＰＭＴ、及び映像データの映像フォーマット情報に記述されているパラメータの全てまたは一部により構成された補助データを生成する補助データ生成部と、補助データを、短周期のＰＣＲパケットのスタッフィングバイト部の一部と置き換えて付加する補助データ付加部とを有する。受信側装置は、受信されたＰＣＲパケットから補助データを抽出する補助データ抽出部と、補助データの内容と、ＰＡＴ、ＰＭＴ、及び映像フォーマット情報の内容とを比較し、一致した場合にのみ、ＰＡＴ、ＰＭＴ、及び映像フォーマット情報に記述されているパラメータに基づいて設定変更を行うデータ比較制御部とを有する。【選択図】図１
2008193484.tif 000002
【特許請求の範囲】
【請求項１】
入力された映像信号及び音声信号をエンコードし、エンコードされた映像データ及び音声データとＰＡＴ、ＰＭＴ、及びＰＣＲパケットをＴＳ信号として送出する送信側装置と、
送出された前記ＴＳ信号を受信して、前記映像データ、音声データ、ＰＡＴ、ＰＭＴ、ＰＣＲパケットに分離し、前記映像データ及び音声データをデコードして出力する受信側装置と、を有するＴＳ伝送システムであって、
前記送信側装置は、
前記ＰＡＴ、ＰＭＴ、及び映像データの映像フォーマット情報に記述されているパラメータの全てまたは一部により構成された補助データを生成する補助データ生成部と、
生成された補助データを、前記ＰＡＴ、ＰＭＴ、及び映像フォーマット情報よりも送出周期の短い前記ＰＣＲパケットのスタッフィングバイト部の一部と置き換えて付加する補助データ付加部とを有し、
前記受信側装置は、
受信された前記ＰＣＲパケットから前記補助データを抽出する補助データ抽出部と、
前記補助データ抽出部により抽出された補助データの内容と、前記ＰＡＴ、ＰＭＴ、及び映像フォーマット情報の内容とを比較し、両内容が一致した場合に、前記ＰＡＴ、ＰＭＴ、及び映像フォーマット情報に記述されているパラメータに基づいて設定変更を行う制御部とを有することを特徴とするＴＳ伝送システム。
【請求項２】
入力された映像信号及び音声信号をエンコードし、エンコードされた映像データ及び音声データとＰＡＴ、ＰＭＴ、及びＰＣＲパケットをＴＳ信号として送出するＴＳ伝送システムの送信側装置であって、
前記ＰＡＴ、ＰＭＴ、及び映像データの映像フォーマット情報に記述されているパラメータの全てまたは一部により構成された補助データを生成する補助データ生成部と、
生成された補助データを、前記ＰＡＴ、ＰＭＴ、及び映像フォーマット情報よりも送出周期の短い前記ＰＣＲパケットのスタッフィングバイト部の一部と置き換えて付加する補助データ付加部とを有することを特徴とするＴＳ伝送システムの送信側装置。
【請求項３】
送出されたＴＳ信号を受信して、映像データ、音声データ、ＰＡＴ、ＰＭＴ、ＰＣＲパケットに分離し、前記映像データ及び音声データをデコードして出力するＴＳ伝送システムの受信側装置であって、
受信された前記ＰＣＲパケットから、前記ＰＡＴ、ＰＭＴ、及び映像データの映像フォーマット情報に記述されているパラメータの全てまたは一部により構成された補助データを抽出する補助データ抽出部と、
前記補助データ抽出部により抽出された補助データの内容と、前記ＰＡＴ、ＰＭＴ、及び映像フォーマット情報の内容とを比較し、両内容が一致した場合に、前記ＰＡＴ、ＰＭＴ、及び映像フォーマット情報に記述されているパラメータに基づいて設定変更を行う制御部とを有することを特徴とするＴＳ伝送システムの受信側装置。
【請求項４】
入力された映像信号及び音声信号をエンコードし、エンコードされた映像データ及び音声データとＰＡＴ、ＰＭＴ、及びＰＣＲパケットをＴＳ信号として送出する送信側装置と、
送出された前記ＴＳ信号を受信して、前記映像データ、音声データ、ＰＡＴ、ＰＭＴ、ＰＣＲパケットに分離し、前記映像データ及び音声データをデコードして出力する受信側装置と、を有するＴＳ伝送システムのＴＳ伝送方法であって、
前記送信側装置が、前記ＰＡＴ、ＰＭＴ、及び映像データの映像フォーマット情報に記述されているパラメータの全てまたは一部により構成された補助データを生成し、生成された補助データを、前記ＰＡＴ、ＰＭＴ、及び映像フォーマット情報よりも送出周期の短い前記ＰＣＲパケットのスタッフィングバイト部の一部と置き換えて付加し、
前記受信側装置が、受信された前記ＰＣＲパケットから前記補助データを抽出し、抽出された補助データの内容と、前記ＰＡＴ、ＰＭＴ、及び映像フォーマット情報の内容とを比較し、両内容が一致した場合に、前記ＰＡＴ、ＰＭＴ、及び映像フォーマット情報に記述されているパラメータに基づいて設定変更を行うことを特徴とするＴＳ伝送方法。
【請求項５】
入力された映像信号及び音声信号をエンコードし、エンコードされた映像データ及び音声データとＰＡＴ、ＰＭＴ、及びＰＣＲパケットをＴＳ信号として送出するＴＳ送信方法であって、
前記ＰＡＴ、ＰＭＴ、及び映像データの映像フォーマット情報に記述されているパラメータの全てまたは一部により構成された補助データを生成し、
生成された補助データを、前記ＰＡＴ、ＰＭＴ、及び映像フォーマット情報よりも送出周期の短い前記ＰＣＲパケットのスタッフィングバイト部の一部と置き換えて付加することを特徴とするＴＳ送信方法。
【請求項６】
送出されたＴＳ信号を受信して、映像データ、音声データ、ＰＡＴ、ＰＭＴ、ＰＣＲパケットに分離し、前記映像データ及び音声データをデコードして出力するＴＳ受信方法であって、
受信された前記ＰＣＲパケットから、前記ＰＡＴ、ＰＭＴ、及び映像データの映像フォーマット情報に記述されているパラメータの全てまたは一部により構成された補助データを抽出し、
抽出された補助データの内容と、前記ＰＡＴ、ＰＭＴ、及び映像フォーマット情報の内容とを比較し、両内容が一致した場合に、前記ＰＡＴ、ＰＭＴ、及び映像フォーマット情報に記述されているパラメータに基づいて設定変更を行うことを特徴とするＴＳ受信方法。
【発明の詳細な説明】
【技術分野】
【０００１】
本発明は、ＭＰＥＧ２（Moving Picture Expert Group phase 2）システムのＴＳ（Transport Stream：トランスポートストリーム）の伝送を行うＴＳ伝送システム、その送信側装置及び受信側装置、並びにＴＳ伝送方法に関する。
【背景技術】
【０００２】
ＴＳ伝送システムでは、ＴＳの伝送路の回線品質が悪いと、伝送するデータの一部が正常に伝送されず、誤ったデータが受信機に入力されることがある。この誤ったデータを受信するとそれまで正常に映像音声を出力していた受信機が、この誤ったデータの内容で受信機内部の設定を行ってしまうため、映像音声が出力されなくなることがある。
【０００３】
従来のＴＳ伝送システムで上記の誤ったデータによる設定変更を防止する方法を、図５を参照して説明する。
【０００４】
図５（ａ）及び（ｂ）に示すように、従来のＭＰＥＧ２システムを用いた移動体通信によるＴＳ伝送システムは、ＴＳを送信（送出）する送信側装置１０１と、ＴＳを受信する受信側装置１０２とを有する。
【０００５】
送信側装置１０１は、図５（ａ）に示すように、エンコード部１、モジュレータ部７、及び送信部８を有し、エンコード部１により映像・音声信号をエンコードしＭＰＥＧ２のＴＳ信号に圧縮して出力し、モジュレータ部７によりそのＴＳ信号を変調してＩＦ（Intermediate Frequency）信号に変換し、送信部８によりそのＩＦ信号を高周波に変換して送出する。
【０００６】
このうち、エンコード部１は、ＰＡＴ（Program Association Table：プログラム・アソシエーション・テーブル）・ＰＭＴ（Program Map Table：プログラム・マップ・テーブル）生成部２、映像エンコード部３、音声エンコード部４、ＰＣＲ（Program Clock Reference：プログラム・クロック・リファレンス）生成部５、及びＭＵＸ（multiplex）部６を有する。
【０００７】
ＰＡＴ・ＰＭＴ生成部２は、ＭＰＥＧ２のＴＳに含まれる番組（プログラム）とその番組を構成している映像・音声データの番組要素との関係を表すテーブル情報（ＰＳＩ：Program Specific Information：プログラム・スペシフィック・インフォメーション）を構成するＰＡＴとＰＭＴのデータを生成する。ＰＡＴは、番組番号とＰＡＴのＰＩＤ（パケット識別子）との関係を表し、ＰＭＴは、番組を構成するストリームのＰＩＤを指定する。
【０００８】
映像エンコード部３は、入力された映像信号をエンコードする。音声エンコード部４は、入力された音声信号をエンコードする。音声エンコード部４と、ＰＣＲ生成部５は、ＰＣＲパケットを生成する。ＰＣＲは、エンコード部１のＳＴＣ（System Time Clock：システム・タイム・クロック）を後述のデコード部１１のＳＴＣにＰＬＬ（Phase Locked Loop）させるためのタイムスタンプである。
【０００９】
ＭＵＸ部６は、ＰＡＴ・ＰＭＴ生成部２で生成されたデータと映像エンコード部３でエンコードされた映像データと音声エンコード部４でエンコードされた音声データとＰＣＲ生成部５で生成されたＰＣＲパケットとを多重してＴＳ信号として出力する。
【００１０】
また、受信側装置１０２は、図５（ｂ）に示すように受信部９、デモジュレータ部１０、及びデコード部１１を有し、受信部２６により送信側装置１０１の送信部８から出力された高周波を受信してＩＦ信号に変換し、デモジュレータ部１０によりそのＩＦ信号を復調しＴＳ信号に変換して出力し、デコード部１１によりそのＴＳ信号を受信し映像信号及び音声信号を出力する。
【００１１】
このうち、デコード部１１は、デモジュレータ部１０から入力されたＴＳ信号を映像データと音声データとＰＣＲパケットとＰＡＴ・ＰＭＴデータとに分離するＤＥＭＵＸ（de-multiplex）部１２と、分離された映像データをデコードして映像出力する映像デコード部１３と、分離された音声データをデコードして音声出力する音声デコード部１４と、分離されたＰＡＴ・ＰＭＴデータと映像デコード部１３からの映像ＰＥＳ（Packetized Elementarty Stream：パケッタイズド・エレメンタリー・ストリーム）に記述されている映像フォーマット情報とを入力して、ＤＥＭＵＸ部１２もしくは映像デコード部１３もしくは音声デコード部１４に対して設定変更の制御を行う制御部１５とを有する。
【００１２】
具体的にデコード部１１の制御部１５は、誤ったデータにより誤った設定変更が行われるのを防止するために、ＰＡＴ、ＰＭＴ、及び映像ＰＥＳに記述されている映像フォ−マット情報を受信し、これらの内容に変更があった場合は次の周期のＰＡＴ、ＰＭＴ、及び映像ＰＥＳに記述されている映像フォ−マット情報を受信して、これらの内容と、最初に受信したＰＡＴ、ＰＭＴ、及び映像ＰＥＳに記述されている映像フォ−マット情報の内容と比較した結果、変更内容が一致していたらＤＥＭＵＸ部１２または映像デコード部１３または音声デコード部１４に対して設定変更を行っている。
【００１３】
なお、本発明に関連する先行技術文献としては、次のものがある。
【特許文献１】特開平１１−２６６４４１号公報
【特許文献２】特開平１１−３０８６１２号公報
【特許文献３】特開平１１−３４６２００号公報
【発明の開示】
【発明が解決しようとする課題】
【００１４】
しかしながら、上述のような従来のＴＳ伝送システムにおいては、次のような課題がある。
【００１５】
すなわち、図５（ａ）及び図５（ｂ）を参照して説明した従来のＴＳ伝送システムでは、ＴＳの内容が変更された場合に、受信側では変更後のＰＡＴ、ＰＭＴ及び映像フォ−マットの情報を２回受信しなければ設定変更処理が実行されないため、設定変更に時間がかかるという不都合があった。
【００１６】
また、特許文献１〜３に記載のＴＳ伝送システムにおいても、ＴＳの伝送路でＰＡＴ、ＰＭＴ、及び映像フォーマットのデータに誤りが発生しても補助データを使って誤った設定変更をしないように保護する機能を有しながら、ＴＳの内容が変更された場合には受信側の設定変更が早く行われるようにすることはできなかった。
【００１７】
本発明は、上記の点に鑑みてなされたもので、データ量を増やすことなく補助データを送出し、ＴＳの伝送路でＰＡＴ、ＰＭＴ、及び映像フォーマットのデータに誤りが発生しても補助データを使って誤った設定変更をしないように保護する機能を有しながら、ＴＳの内容が変更された場合には受信側の設定変更が早く行われるようにしたＴＳ伝送システムを提供することを目的とする。
【課題を解決するための手段】
【００１８】
上記目的を達成するために、本発明に係るＴＳ伝送システムは、入力された映像信号及び音声信号をエンコードし、エンコードされた映像データ及び音声データとＰＡＴ、ＰＭＴ、及びＰＣＲパケットをＴＳ信号として送出する送信側装置と、送出された前記ＴＳ信号を受信して、前記映像データ、音声データ、ＰＡＴ、ＰＭＴ、ＰＣＲパケットに分離し、前記映像データ及び音声データをデコードして出力する受信側装置とを有する。この構成で、前記送信側装置は、前記ＰＡＴ、ＰＭＴ、及び映像データの映像フォーマット情報に記述されているパラメータの全てまたは一部により構成された補助データを生成する補助データ生成部と、生成された補助データを、前記ＰＡＴ、ＰＭＴ、及び映像フォーマット情報よりも送出周期の短い前記ＰＣＲパケットのスタッフィングバイト部の一部と置き換えて付加する補助データ付加部とを有する。前記受信側装置は、受信された前記ＰＣＲパケットから前記補助データを抽出する補助データ抽出部と、前記補助データ抽出部により抽出された補助データの内容と、前記ＰＡＴ、ＰＭＴ、及び映像フォーマット情報の内容とを比較し、両内容が一致した場合に、前記ＰＡＴ、ＰＭＴ、及び映像フォーマット情報に記述されているパラメータに基づいて設定変更を行う制御部とを有する。
【発明の効果】
【００１９】
本発明によれば、データ量を増やすことなく補助データを送出し、ＴＳの伝送路でＰＡＴ、ＰＭＴ、及び映像フォーマットのデータに誤りが発生しても補助データを使って誤った設定変更をしないように保護する機能を有しながら、ＴＳの内容が変更された場合には受信側の設定変更が早く行われるようにすることができる。
【発明を実施するための最良の形態】
【００２０】
以下、本発明に係るＴＳ伝送システム及び方法、並びにＴＳ伝送システムの送信側装置及び受信側装置の実施の形態について図面を参照して説明する。
【００２１】
図１に示すように、本実施の形態に係るＭＰＥＧ２システムを用いた移動体通信によるＴＳ伝送システムは、ＭＰＥＧ２の規格ＩＳＯ／ＩＥＣ−１３８１８、及びＡＲＩＢ  ＳＴＤ  Ｂ１０の規格に準拠するものを適用したもので、送信側装置１１１と、受信側装置１１２とを備えている。
【００２２】
図１（ａ）に示す送信側装置１１１は、ＭＰＥＧ２の規格に合わせてトランスポート・ストリーム（ＴＳ）の出力形式で、映像エンコードデータ、音声エンコードデータ、ＰＡＴ、ＰＭＴ、及びＰＣＲを送るものを適用して、ＰＣＲに規格の範囲内で補助データ（後述参照）を追加するように構成されている。具体的には、エンコード部１６、モジュレータ部２４、及び送信部２５を有する。
【００２３】
エンコード部１６は、映像・音声をエンコードしＭＰＥＧ２のＴＳ信号に圧縮して出力する。モジュレータ部２４は、エンコード部１６からのＴＳ信号を変調しＩＦ信号に変換して出力する。送信部２５は、モジュレータ部２４からのＩＦ信号を高周波に変換して送出する。
【００２４】
エンコード部１６は、ＰＡＴ・ＰＭＴ生成部１７、映像エンコード部１８、音声エンコード部１９、ＰＣＲ生成部２０、補助データ付加部２１、補助データ生成部２２、及びＭＵＸ部２３を有する。
【００２５】
ＰＡＴ・ＰＭＴ生成部１７は、ＰＡＴとＰＭＴデータを生成し、そのデータをＭＵＸ部２３に供給する。映像エンコード部１８は、入力された映像信号をエンコードし、その映像データをＭＵＸ部２３に供給する。音声エンコード部１９は、入力された音声信号をエンコードし、その音声データをＭＵＸ部２３に供給する。ＰＣＲ生成部２０は、ＰＣＲパケットを生成し、そのＰＣＲパケットを補助データ付加部２１に供給する。
【００２６】
補助データ生成部２２は、後述する補助データを生成し、その補助データをＭＵＸ部２３に供給する。補助データ付加部２１は、後述する図２（ａ）及び図２（ｂ）に示すようにＰＣＲ生成部２０により生成されたＰＣＲパケットのスタッフィングバイト（データの無い空き領域を０ｘＦで埋めている部分）３６の一部を、補助データ生成部２２により生成された補助データ３９に置き換えて付加し、その補助データ３９を付加したＰＣＲパケットをＭＵＸ部２３に供給する。
【００２７】
ＭＵＸ部２３は、ＰＡＴ・ＰＭＴ生成部１７で生成されたデータと映像エンコード部１８でエンコードされた映像データと音声エンコード部１９でエンコードされた音声データと補助データ付加部２１で生成されたＰＣＲパケットとを多重してＴＳ信号として出力する。
【００２８】
また、図１（ｂ）に示す受信側装置１１２は、受信部２６、デモジュレータ部２７、及びデコード部２８を有する。受信部２６は、送信部２５から出力された高周波を受信してＩＦ信号に変換する。デモジュレータ部２７は、受信部２６からのＩＦ信号を復調しＴＳデータに変換して出力する。デコード部２８は、デモジュレータ部２７と、デモジュレータ部２７のＴＳ信号を受信し映像信号及び音声信号を出力する。
【００２９】
デコード部２８は、ＤＥＭＵＸ部２９、映像デコード部３０、音声デコード部３１、補助データ抽出部３２、及びデータ比較制御部３３を有する。
【００３０】
ＤＥＭＵＸ部２９は、デモジュレータ部２７から入力されたＴＳ信号を映像データと音声データとＰＣＲパケットとＰＡＴ・ＰＭＴデータとに分離する。映像デコード部３０は、ＤＥＭＵＸ部２９からの映像データをデコードして映像出力する。音声デコード部３１は、ＤＥＭＵＸ部２９からの音声データをデコードして音声出力する。補助データ抽出部３２は、ＤＥＭＵＸ部２９から出力されるＰＣＲパケットから補助データ３９を抽出する。
【００３１】
データ比較制御部３３は、ＤＥＭＵＸ部２９からのＰＡＴ・ＰＭＴデータと、映像デコード部３０からの映像フォーマット情報と、補助データ抽出部３２からの補助データ３９とを入力し、後述するように、ＰＡＴ、ＰＭＴまたは映像ＰＥＳの映像フォーマット情報の内容と、補助データ３９の内容とを比較して、両者の変更内容が同じ場合にＤＥＭＵＸ部２９もしくは映像デコード部３０もしくは音声デコード部３１に対して設定変更の制御を行う。
【００３２】
図２は、ＰＣＲパケットの構成図であり、図２（ａ）は補助データを付加する前の構成図であり、図２（ｂ）は補助データを付加した後の構成図である。
【００３３】
図２（ａ）に示すように、補助データを付加する前の１８８バイトのＰＣＲパケットは、ヘッダー（Header）３４と、ＰＣＲのデータ３５と、スタッフィングバイト３６とを有して構成される。スタッフィングバイト３６は、前述したようにデータの無い空き領域を０ｘＦで埋めている部分である。
【００３４】
これに対し、本実施の形態では、図２（ｂ）に示すように、１８８バイトのＰＣＲパケットのうち、スタッフィングバイト３６の一部を補助データ３９に置き換えて付加している。すなわち、ＰＣＲパケットのスタッフィングバイト３６の一部に規格の範囲内で補助データを追加している。
【００３５】
図３は、補助データ３９のフォーマットの一例を示す。
【００３６】
図３に示すように、補助データ３９には、先頭側の項目から順に、８ビットの「ＩＤ（識別子）」（固定値：本情報提示のＩＤ）及び８ビットの「Length」（「Length」の次の項目から最後尾側の項目である「ＣＲＣ」までのデータ長）に続き、最後尾側の３２ビットの「ＣＲＣ（Cyclic Redundancy Check）」（「Program_No」から「ＣＲＣ」の直前までのＣＲＣ値）の間に、次のようなＰＡＴ、ＰＭＴ、又は映像ＰＥＳの映像フォーマット情報に記述されるパラメータが含まれる。
【００３７】
すなわち、このパラメータには、１）１６ビットの「Program_No」（ＰＡＴのｉ番目（１≦ｉ≦Ｎ）に記述されている番組番号）、２）１６ビットの「PMT_PID（パケット識別子）」（ｉ番目の番組番号のPMT_PID）、３）１６ビットの「PCR_PID」（ｉ番目の番組番号のPCR_PID）、４）１６ビットの「Video_PID」（ｉ番目の番組番号のVideo_PID）、５）１６ビットの「Audio1_PID」（ｉ番目の番組番号のAudio1_PID）、６）１６ビットの「Audio2_PID」（ｉ番目の番組番号のAudio2_PID）、７）１６ビットの「ANC1_PID」（ｉ番目の番組番号のANC1_PID）、８）１６ビットの「ANC2_PID」（ｉ番目の番組番号のANC2_PID）、９）１６ビットの「ANC3_PID」（ｉ番目の番組番号のANC3_PID）、１０）１６ビットの「ANC4_PID」（ｉ番目の番組番号のANC4_PID）、１１）１６ビットの「VIDEO_H_Size」（ｉ番目の番組番号のビデオの水平画素数）、１２）１６ビットの「VIDEO_V_Size」（ｉ番目の番組番号のビデオのライン数）が含まれる。
【００３８】
この後に２ビットの「Reserved」（00に固定）が配置され、その後に、次のようなパラメータが記述可能となっている。すなわち、このパラメータには、１３）２ビットの「VIDEO_Progressive/Interlace」（ｉ番目の番組番号のビデオのProgressive/Interlaceの種別、00：Reserved、01：Interlace、10：Progressive）、１４）２ビットの「VIDEO_frame_rate」（ｉ番目の番組番号のビデオのフレームレート、0000：23.976…、0001：24、0010：25、0011：25、0100：29.97…、0101：30、0110：50、0111：59.94…、1000：60、1001〜1111：Reseved）、１５）４ビットの「Audio1_MODE」（0000：Unkoun、0001：AAC（Advanced Audio Coding）、0010：BC（Backward Compatible）、0011：Layer2、0100：LPCM（Linear Pulse Code Modulation））、１６）４ビットの「Audio2_MODE」（0000：Unkoun、0001：AAC、0010：BC、0011:Layer2、0100：LPCM）が含まれる。
【００３９】
上記パラメータのうち、「Program_No」、「PMT_PID」は、ＰＭＴに記述されるパラメータと同じものであり、その比較対象はＰＭＴとなる。また、「PCR_PID」、「Video_PID」、「Audio1_PID」、「Audio2_PID」、「ANC1_PID」、「ANC2_PID」、「ANC3_PID」、「ANC4_PID」、「Audio1_MODE」、「Audio2_MODE」は、ＰＡＴに記述されるパラメータと同じものであり、その比較対象はＰＡＴとなる。さらに、「VIDEO_H_Size」、「VIDEO_V_Size」、「VIDEO_Progressive/Interlace」、「VIDEO_frame_rate」は、映像ＰＥＳの映像フォーマット情報に記述されるパラメータと同じものであり、その比較対象は映像フォーマット情報となる。
【００４０】
本実施の形態では、図１（ａ）に示す送信側装置１１１において、エンコード部１６は、図３に示すＰＡＴ、ＰＭＴ、及び映像ＰＥＳの映像フォーマット情報に記述されているパラメータの全てまたは一部により構成された補助データ３９を、ＰＡＴ、ＰＭＴ、及び映像ＰＥＳの映像フォーマット情報の送出周期よりも短い送出周期（短周期）で送出されるＰＣＲパケットのスタッフィングバイト部３６の一部と置き換えて伝送する。こうすることにより、データ量を増やさずに補助データ３９を送ることができるようにしている。
【００４１】
すなわち、図１（ａ）に示すエンコード部１６において、補助データ付加部２１は、エンコード部１６の補助データ生成部２２で生成された補助データを、短周期で送出されるＰＣＲパケットのスタッフィングバイト部３６の一部と置き換えて付加し、補助データ３９を付加したＰＣＲパケットを送出する。
【００４２】
また、図１（ｂ）に示す受信側装置１１２において、デコード部２８は、伝送されたＰＣＲパケットから補助データを抽出し、受信したＰＡＴ、ＰＭＴ、及び映像ＰＥＳの映像フォーマット情報に記述されているパラメータと、補助データに記述されているパラメータとを比較する。こうすることにより、伝送するデータに誤りがあるか否かを判断可能とし、受信したＰＡＴ、ＰＭＴ、及び映像ＰＥＳに記述されているパラメータの正常性を確認できるようにしている。
【００４３】
すなわち、図１（ｂ）に示すデコード部２８において、補助データ抽出部３２は、ＰＣＲパケットに付加されている補助データを、ＰＣＲパケットから抽出して出力する。そして、デコード部２８のデータ比較制御部３３は、補助データ抽出部２１で抽出された補助データの内容と、ＰＡＴ、ＰＭＴ、及び映像フォーマット情報の内容と比較し、ＰＡＴ、ＰＭＴ、及び映像ＰＥＳに記述された映像フォーマット情報の変更内容と、補助データ３９の変更内容とが一致した場合（伝送するデータに誤りがない）にのみ、ＤＥＭＵＸ部２９または映像デコード部３０または音声デコード部３１に対して設定変更を行い、一致しなければ（伝送するデータに誤りがある）、設定変更は行わない。この方法によって、受信したＰＡＴ、ＰＭＴ、及び映像ＰＥＳの映像フォーマット情報に記述されているパラメータの正常性を確認する。
【００４４】
次に、本実施の形態の動作について、図４のＰＡＴ・ＰＭＴ・映像ＰＥＳの映像フォーマット情報及びＰＣＲパケットの受信タイミング図を使用して説明する。なお、図４のタイミングは、ＰＡＴの送出周期を１００ｍｓ、ＰＭＴの送出周期を１００ｍｓ、ＰＣＲの送出周期を３９ｍｓ、映像フォーマットの情報がある映像のＰＥＳヘッダーの送出周期を約５００ｍｓとした場合の例である。
【００４５】
最初に、ＰＡＴの内容が変更された場合の受信側での設定変更動作について説明する。
【００４６】
まず、送信側装置１１１にてＰＡＴの内容が変更された場合、図１（ｂ）に示す受信側装置１１２のデコード部２８のデータ比較制御部３３では、図４に示す設定変更後のＰＡＴ４１及び設定変更後のＰＣＲ４８を受信して設定変更が開始される。
【００４７】
これに対して、従来の技術では変更後のＰＡＴを２回受信して設定変更するので、図４の変更後のＰＡＴ４１及びＰＡＴ４４を受信して設定変更が開始されるため、従来の技術に比べて本実施の形態の方が早く設定変更処理が実行される。
【００４８】
次に、ＰＭＴの内容が変更された場合の受信側での設定変更動作について説明する。
【００４９】
まず、送信側装置１１１にてＰＭＴの内容が変更された場合、図１（ｂ）に示す受信側装置１１２のデコード部２８のデータ比較制御部３３では、図４に示す設定変更後のＰＭＴ４２及び設定変更後のＰＣＲ４８を受信して設定変更が開始される。
【００５０】
これに対して、従来の技術では変更後のＰＭＴを２回受信して設定変更するので、図４の変更後のＰＭＴ４２及びＰＭＴ４５を受信して設定変更が開始されるため、従来の技術に比べて本実施の形態の方が早く設定変更処理が実行される。
【００５１】
次に、映像フォーマット情報の内容が変更された場合の受信側装置１１２での設定変更動作について説明する。
【００５２】
まず、送信側装置１１１にて映像フォーマットの内容が変更された場合、図１（ｂ）に示す受信側のデコード部２８のデータ比較制御部３３では、図４に示す設定変更後のＰＣＲ４８及び設定変更後の映像フォーマット情報４３を受信して設定変更が開始される。
【００５３】
これに対して、従来の技術では変更後の映像フォーマット情報を２回受信して設定変更するので、図４の変更後の映像フォーマット情報４３及び映像フォーマット情報４６を受信して設定変更が開始されるため、従来の技術に比べて本実施の形態の方が早く設定変更処理が実行される。
【００５４】
従って、本実施の形態によれば、上述した方法により、ＰＣＲパケットのスタッフィングバイト部３６に補助データ３９を付加することでデータ量の増加なく補助データを送ることができる。また、ＰＡＴ、ＰＭＴ、及び映像ＰＥＳの映像フォーマット情報でデータに誤りがあっても誤った設定変更をしないという保護ができる。さらに、エンコード部１６でＰＡＴ、ＰＭＴ、及び映像ＰＥＳの映像フォ−マット情報に変更があった場合でも、ＰＡＴ、ＰＭＴ、及び映像ＰＥＳの映像フォーマット情報の送出周期よりも送出周期が短いＰＣＲパケットに補助データを付加することにより、ＰＡＴ、ＰＭＴ、及び映像ＰＥＳの映像フォーマット情報を２回受信するよりも早く補助データを受信することができるので、設定変更を早く行うことができる。
【００５５】
よって、本実施の形態においては、以下に記載するような効果を奏する。
【００５６】
第１の効果は、補助データ３９をＰＣＲパケットのスタッフィングバイト部３６に付加しているので、データ量を増やすことなく、補助データを送ることができることである。
【００５７】
第２の効果は、ＰＡＴ、ＰＭＴ、及び映像ＰＥＳの映像フォーマット情報の内容と、補助データ３９の内容とを比較して設定変更を行うことによって、ＰＡＴ、ＰＭＴ、及び映像ＰＥＳの映像フォーマット情報のデータが誤った場合でも、誤ったデータの内容で設定変更するのを防止できることである。
【００５８】
第３の効果は、補助データ３９を、ＰＡＴ、ＰＭＴ、及び映像ＰＥＳの映像フォーマット情報の送出周期よりも送出周期の短いＰＣＲパケットに付加しているので、補助データ３９を早く受信することができ、その結果、設定変更までの処理を早く行うことができることである。
【００５９】
なお、本発明は、上記の実施の形態に限定されるものではなく、例えば伝送路が衛星通信の場合でも天候条件が悪く伝送の品質が低下している場合には適用することができる。
【００６０】
以上、本発明の実施の形態を詳細に説明したが、本発明は、代表的に例示した上述の実施の形態に限定されるものではなく、当業者であれば、特許請求の範囲の記載内容に基づき、本発明の要旨を逸脱しない範囲内で種々の態様に変形、変更することができる。これらの変形例や変更例も本発明の権利範囲に属するものである。
【００６１】
例えば、上記のＴＳ伝送システムを構成する各部の少なくとも一部の機能を、プログラムコードを用いて実現する場合、かかるプログラムコード及びこれを記録する記録媒体は、本発明の範疇に含まれる。この場合、オペレーティングシステム等の他のソフトウェアと共同して上記機能が実現される場合は、それらのプログラムコードも含まれる。
【産業上の利用可能性】
【００６２】
本発明は、ＭＰＥＧ２システムを用いた移動体通信によるＴＳ伝送システムの用途に適用できる。
【図面の簡単な説明】
【００６３】
【図１】本発明の一実施の形態によるＴＳ伝送システムの構成を示すブロック図であり、（ａ）は送信側装置のブロック図であり、（ｂ）は受信側装置のブロック図である。
【図２】ＰＣＲパケットの構成図であり、（ａ）は補助データを付加する前の構成図であり、（ｂ）は補助データを付加した後の構成図である。
【図３】補助データのフォーマットの一例を示す図である。
【図４】ＰＡＴ、ＰＭＴ、映像ＰＥＳの映像フォ−マット情報及びＰＣＲパケットの受信タイミングの例を示す図である。
【図５】従来のＴＳ伝送システムの構成を示すブロック図であり、（ａ）は送信側装置のブロック図であり、（ｂ）は受信側装置のブロック図である。
【符号の説明】
【００６４】
１６  エンコード部
１７  ＰＡＴ・ＰＭＴ生成部
１８  映像エンコード部
１９  音声エンコード部
２０  ＰＣＲ生成部
２１  補助データ付加部
２２  補助データ生成部
２３  ＭＵＸ部
２４  モジュレータ部
２５  送信部
２６  受信部
２７  デモジュレータ部
２８  デコード部
２９  ＤＥＭＵＸ部
３０  映像デコード部
３１  音声デコード部
３２  補助データ抽出部
３３  データ比較制御部
１１１  送信側装置
１１２  受信側装置
【図１】
2008193484.tif 000003
【図２】
2008193484.tif 000004
【図３】
2008193484.tif 000005
【図４】
2008193484.tif 000006
【図５】
2008193484.tif 000007